(57)【要約】【課題】ベルトの留め具であるバックルのない扱いの簡単な、安価な磁力留め方式のベルトとこれを応用する磁力留め具を提供することである。【解決手段】磁力留めベルトは、先端部の表側に磁石を、後端部の裏側に複数の強磁性体を小間隔で連続的に固定し、かつ強磁性体を裏側略全体に前記同様に固定してあり、ベルトの先端部に着脱式に固着したカバーが、先端部に重なり吸着することでその先端部の外れも防ぐベルトのある磁力留めベルトであり、さらに前記ベルトの中間部を除いた先端部と後端部がそれぞれの切断端部を物体の異なる箇所に固着し、それら先端部と後端部が重なり吸着する磁力留め具である。【選択図】図１
2020063523.tif 000002
【特許請求の範囲】
【請求項１】
帯体の先端部の表側最端部より複数の強磁性体を連続的に固定し、後端部の端部より複数の磁石を小間隔で長手方向に貫通固定し、前記の先端部に後端部が重なり、さらに強磁性体複数を裏側に固定した可撓性ベルトが、その後端を着脱式に前記先端部の後部に定置し、前記後端部に略重なることを特徴とする磁力留めベルト。
【請求項２】
請求項１記載の磁力留めベルトの中間を除いた先端部と後端部それぞれの端部を物体の異なる箇所に固着し、前記の先端部と後端部が重なり吸着することを特徴とする磁力留め具。
【発明の詳細な説明】
【技術分野】
【０００１】
本発明は、ベルトに関するものである。
【背景技術】
【０００２】
ベルトのバックルは各種、実用されているが、バックル無しのベルトが要請されている。
【先行技術文献】
【特許文献】
【０００３】
【特許文献１】公表特許公報  ２０１８−５０９２１５
【発明の概要】
【発明が解決しようとする課題】
【０００４】
本発明の課題は、ベルトの留め具であるバックルのない磁力留め方式のベルトを提供することである。
【課題を解決するための手段】
【０００５】
磁力留めベルトは、帯体の先端部の表側最端部より複数の強磁性体を連続的に固定し、後端部の裏側に複数の磁石を小間隔で長手方向に固定し、前記の先端部に後端部が重なり、さらに強磁性体複数を裏側に固定した可撓性ベルトが、その後端を着脱式に前記先端部の後部に定置し、前記後端部に略重なるバックル無しのベルトである。  
また、磁力留め具は、前記の磁力留めベルトの中間を除いた先端部と後端部それぞれの端部を物体の異なる箇所に固着し、前記の先端部と後端部が重なり吸着する留め具である。
【発明の効果】
【０００６】
本発明の磁力留め方式のベルトは、バックルが無く、締めやすく軽快かつ安価なベルトである。
【図面の簡単な説明】
【０００７】
【図１】磁力留めベルトを締めた時の平断面図である。後端部５を指示してないが、どこであるかは明らかであろう。
【発明を実施するための形態】
【０００８】
本発明の磁力留めベルトを図に基づいて説明する。図１は前記ベルト１を締めた時の平断面図であり、一本の可撓性帯体２のバックルの付くべき先端部３の表側最端部より複数の強磁性体４を連続的に嵌入固定し、後端部５の後端より複数の磁石６を小間隔で長手方向に貫通固定し、前記の先端部３に後端部５を重ね、前記の磁石と強磁性体相互の吸着を図り、さらに強磁性体４複数が裏側に嵌入固定した可撓性カバー７が、その後端をホック留めまたは凹凸部嵌め合いの着脱式に前記先端部３の後部分に定置し、後端部５に直接略重なる磁力留めベルトである。つまりこのベルトを締めた状態では、帯体２の後端部５の全体ないし先端を前記のカバー７と前端部３が表側と裏側から挟み、相互吸着によりベルトが締まり、前記カバーが後端部５の外れを防ぐバックル無しの安価な磁力留めベルトである。なお前端部３と後端部５の範囲は、ベルトの長さと略等しいものとする。
【０００９】
なお、後端部の磁石は、前端部とカバーに両面吸着をするので、帯体の両面と一致する面一貫通固定がよく、強磁性体は磁石に対面する側が帯体表面と面一の嵌入固定がよい。また、強磁性体は、磁石により磁化される物質と磁石を意味し、磁石同士の吸着もあり、この場合磁石は互いに吸引する異極対面となるのである。    
【００１０】
バックルのないこの簡素な磁石留めベルトはズボンなどに装着し、後端部を前端部に適宜重ねて吸着させてからカバーを後端部に重ね、強磁性体を後端部の磁石と吸着させればよく、ベルトの締まりのきつさの調整は、前記カバーを後端部からめくり、その後端部を  前端部の表面を適宜ずらせばよい。なお、ベルトの外しや締り具合の調整において後端部を掴み易くするため、後端部が前端部よりわずかに幅広いのもよい。
【００１１】
また、前記帯体が皮革、プラスチック、繊維材、ゴム、非磁性金属鎖などである前記ベルトは、ズボンなどに着用の他に、またこのベルトの中間部を切除した両端部それぞれの切断端部を異なる箇所に、例えば鞄のカバー部と本体部に固着し、先端部と後端部が重なり吸着する連結具としてもよく、前記ベルトを細くした結束用紐や装飾品の付いた帯止めとしての使用もよい。
【符号の説明】
【００１２】
1磁力留めベルト、2帯体、３先端部、４強磁性体、後端部５、６磁石、７カバー
【図１】
2020063523.tif 000003
【手続補正書】
【提出日】平成31年2月8日(2019.2.8)
【手続補正１】
【補正対象書類名】明細書
【補正対象項目名】全文
【補正方法】変更
【補正の内容】
【発明の詳細な説明】
【技術分野】
【０００１】
本発明は、着用ベルトに関するものである。
【背景技術】
【０００２】
ベルトのバックルは各種、実用されているが、バックル無しのベルトが要請されている。
【先行技術文献】
【特許文献】
【０００３】
【特許文献１】公表特許公報  ２０１８−５０９２１５
【発明の概要】
【発明が解決しようとする課題】
【０００４】
本発明の課題は、ベルトの留め具であるバックルのない磁力留め方式のベルトを提供することである。
【課題を解決するための手段】
【０００５】
磁力留めベルトは、帯体の前端部の表側最端部より複数の強磁性体を連続的に固定し、後端部の裏側に複数の磁石を小間隔で長手方向に固定し、前記の前端部に後端部が重なり、さらに強磁性体複数を裏側に固定した可撓性ベルトが、その後端を着脱式に前記前端部の後部に定置し、前記後端部に略重なるバックル無しのベルトである。  
また、磁力留め具は、前記の磁力留めベルトの中間を除いた前端部と後端部それぞれの端部を物体の異なる箇所に固着し、前記の前端部と後端部が重なり吸着する留め具である。
【発明の効果】
【０００６】
本発明の磁力留め方式のベルトは、バックルが無く、締めやすく軽快かつ安価なベルトである。
【図面の簡単な説明】
【０００７】
【図１】磁力留めベルトを締めた時の平断面図である。後端部５を指示してないが、どこであるかは明らかであろう。
【発明を実施するための形態】
【０００８】
本発明の磁力留めベルトを図に基づいて説明する。図１は前記ベルト１を締めた時の平断面図であり、一本の可撓性帯体２のバックルの付くべき前端部３の表側最端部より複数の強磁性体４を連続的に嵌入固定し、後端部５の後端より複数の磁石６を小間隔で長手方向に貫通固定し、前記の前端部３に後端部５を重ね、前記の磁石と強磁性体相互の吸着を図り、さらに強磁性体４複数が裏側に嵌入固定した可撓性カバー７が、その後端をホック留めまたは凹凸部嵌め合いの着脱式に前記前端部３の後部分に定置し、後端部５に直接略重なる磁力留めベルトである。つまりこのベルトを締めた状態では、帯体２の後端部５の全体ないし先端を前記のカバー７と前端部３が表側と裏側から挟み、相互吸着によりベルトが締まり、前記カバーが後端部５の外れを防ぐバックル無しの安価な磁力留めベルトである。なお前端部３と後端部５の範囲は、ベルトの長さと略等しいものとする。
【０００９】
なお、後端部の磁石は、前端部とカバーに両面吸着をするので、帯体の両面と一致する面一貫通固定がよく、強磁性体は磁石に対面する側が帯体表面と面一の嵌入固定がよい。また、強磁性体は、磁石により磁化される物質と磁石を意味し、磁石同士の吸着もあり、この場合磁石は互いに吸引する異極対面となるのである。    
【００１０】
バックルのないこの簡素な磁石留めベルトはズボンなどに装着し、後端部を前端部に適宜重ねて吸着させてからカバーを後端部に重ね、強磁性体を後端部の磁石と吸着させればよく、ベルトの締まりのきつさの調整は、前記カバーを後端部からめくり、ベルトの後端部を前端部の表面に沿って適宜ずらせばよい。なお、ベルトの外しや締り具合の調整において後端部を掴み易くするため、後端部が前端部よりわずかに幅広いのもよい。
【００１１】
また、前記帯体が皮革、プラスチック、繊維材、ゴム、非磁性金属鎖などである前記ベルトは、ズボンなどに着用の他に、またこのベルトの中間部を切除した両端部それぞれの切断端部を異なる箇所に、例えば鞄のカバー部と本体部に固着し、前端部と後端部が重なり吸着する連結具としてもよく、前記ベルトを細くした結束用紐や装飾品の付いた帯止めとしての使用もよい。
【符号の説明】
【００１２】
1磁力留めベルト、2帯体、３前端部、４強磁性体、後端部５、６磁石、７カバー
【手続補正２】
【補正対象書類名】特許請求の範囲
【補正対象項目名】全文
【補正方法】変更
【補正の内容】
【特許請求の範囲】
【請求項１】
帯体の前端部の表側最端部より複数の強磁性体を連続的に固定し、後端部の端部より複数の磁石を一定間隔で長手方向に貫通固定し、前記の前端部に後端部が重なり、さらに強磁性体複数を裏側に固定した可撓性カバーが、そのカバーの後端を着脱式に前記前端部の後部に定置し、前記後端部に略重なることを特徴とする磁力留めベルト。
【請求項２】
請求項１記載の磁力留めベルトの中間を除いた前端部と後端部それぞれの端部を物体の異なる箇所に固着し、前記の前端部と後端部が重なり吸着することを特徴とする磁力留め具。